(57)【要約】【課題】塵埃を含む空気を浄化して取り込む給気浄化装置に関して、メンテナンスの頻度を低減した給気浄化装置を提供することを目的とする。【解決手段】塵埃旋回分離手段４と集塵室５とを備えた給気浄化装置１において、塵埃旋回分離手段４の上面７は流出口８に向かって傾斜を設けたことにより、水分が多量に含まれる空気を吸引した際に、流出口８から流出した空気に含まれる水分がダクト内に付着し、凝集して液滴状の水粒子となり、落下して給気浄化装置１に付着した場合、液滴状の水粒子が傾斜に沿って移動して流出口８から塵埃旋回分離手段４に流入し、最終的に流入口６から装置外部へ排出される。すなわち、集塵室５の天面に付着した液滴状の水粒子を塵埃旋回分離手段４側へ流して塵埃旋回分離手段４から装置外部へ排出することにより、塵埃と分離し、塵埃が集塵室内で固着することを少なくしてメンテナンスの頻度を低減する。【選択図】図２
2016175050.tif 000002
【特許請求の範囲】
【請求項１】
塵埃を含んだ空気の送風路内に設置され、気流を旋回させ塵埃を分離する塵埃旋回分離手段と、この塵埃旋回分離手段で分離した塵埃を集め溜めておく集塵室とを備え、前記塵埃旋回分離手段は、下面側に設けた流入口と、上面に設けた流出口と、流入口から流出口に向かって旋回流を形成する螺旋状の旋回壁と、塵埃を側面から前記集塵室へ排出する排出口とを備えた第一の筒体であり、前記集塵室は、天面に抜き穴を有し、外周部に前記塵埃旋回分離手段の前記排出口を配置し、前記塵埃旋回分離手段の旋回流の方向が全て同一方向となるよう複数個備えた第二の筒体であり、前記塵埃旋回分離手段と集塵室の上面を覆い被せるようにして接続した１つの曲がりダクトによって前記流出口と前記抜き穴から流出する空気は合流する構成であり、前記塵埃旋回分離手段の上面は流出口に向かって傾斜を設けた給気浄化装置。
【請求項２】
集塵室の天面は、塵埃旋回分離手段の上面に対し高く形成し、前記集塵室の天面は抜き穴から外周に向かって低くなるように傾斜を設けた請求項１に記載の給気浄化装置。
【請求項３】
集塵室の底面に開口部を設け、前記開口部を閉塞するための蓋を備え、前記蓋は開閉可能に設置した請求項１または２に記載の給気浄化装置。
【請求項４】
開口部に軸受け穴を設け、蓋に軸を設け、前記軸受け穴と前記軸とをはめ合わせた請求項３に記載の給気浄化装置。
【発明の詳細な説明】
【技術分野】
【０００１】
本発明は塵埃を含む空気を浄化して住宅や建築物内に取り込む給気浄化装置に関する。
【背景技術】
【０００２】
従来この種の給気浄化に関する装置として、塵埃や油等の粒子状の汚れを含む空気を吸引し、内部で汚れと空気とを分離し、浄化した空気を装置下流に供給するものが知られている。汚れと空気とを分離する手段として、例えばサイクロン式の油分離装置が知られている（例えば、特許文献１参照）。
【０００３】
以下、従来のサイクロン式の油分離装置の例を、図８を参照しながら説明する。
【０００４】
油分離装置１０１は、流入部１０２と、複数が並列に配置された分離部１０３と、捕集室１０４とを備えている。分離部１０３は、流入口１０５と、排出口１０６と、流出口１０７とを備えており、流入口１０５は流入部１０２と連通し、排出口１０６は捕集室１０４と連通している。油分離装置１０１は、流入した空気を装置外部へ排出するためのダクト１０８に接続しており、流出口１０７とダクト１０８とが連通している。油分離装置１０１の上面１０９は、流出口１０７に向かって傾斜している。
【０００５】
送風装置（図示せず）により、油粒子を含む空気が流入部１０２に流入すると、空気は流入口１０５から分離部１０３に流入する。分離部１０３の内部では旋回流が生じ、遠心力によって空気から分離された油粒子は排出口１０６から捕集室１０４へと移動し、一箇所に集められる。油粒子が除去された空気は、分離部１０３から流出口１０７を通じてダクト１０８へ流出し、装置下流に供給される。
【０００６】
油粒子は、粒子径が大きいほど旋回流による遠心力を受けやすいため、分離部１０３で分離、捕集されやすい。しかし、粒子径が小さい油粒子が油分離装置１０１に流入すると、分離部１０３での遠心力を受けにくくなるため分離しきれず、空気とともに流出口１０７から下流のダクト１０８に流出する場合がある。特許文献１では、そのような小さな油粒子がダクト１０８内に付着し、壁面で凝集して液滴状の油粒子となった場合に、重力の作用で液滴状の油粒子を移動させ、流出口１０７から分離部１０３を経て捕集室１０４に油粒子を回収できるよう、油分離装置１０１の上面１０９に、流出口１０７に向かう傾斜を設けている。
【先行技術文献】
【特許文献】
【０００７】
【特許文献１】特開２０１０−９６１０７号公報
【発明の概要】
【発明が解決しようとする課題】
【０００８】
このような従来のサイクロン式の油分離装置を住宅や建築物内に取り込む給気浄化装置に適用した場合、以下の課題があった。
【０００９】
住宅や建築物に設置される給気浄化装置は、塵埃や水分等を含んだ空気を吸い込むものである。従来のサイクロン式の油分離装置の技術を適用した場合、分離部で生じる旋回流により、空気から塵埃を分離し、塵埃は捕集室に集められる。空気中の水分は、旋回流では除去されにくいため、流出口を通じてダクトへ流出し、装置下流に供給される。
【００１０】
ここで、例えば霧発生時など、水分が多量に含まれる空気を吸引した際に、流出口から流出した空気に含まれる水分がダクト内に付着し、壁面で凝集して液滴状の水粒子となり、落下して装置上面に付着する場合がある。そこで従来の構成では、装置上面に流出口に向かう下り傾斜面が設けられているため、ダクト内の壁面から落下した液滴状の水粒子は流出口から分離部に流れ込み、捕集室に集めることができた。
【００１１】
しかし、空気から分離捕集された塵埃と、水粒子とが同一の捕集室に集められるため、塵埃と水とが混ざり合った状態となる。このような状態になると、捕集室内はカビの発生や臭いの発生の元となり、不衛生な状態となり得るだけでなく、塵埃は、乾燥した状態よりも付着性が高くなるため、塵埃が固着する前に取り除く必要があった。つまり、こまめに給気浄化装置、特に捕集室内のメンテナンスをしなければならないという課題があった。
【００１２】
そこで本発明は、上記従来の課題を解決するものであり、不衛生な状態となることを抑制しつつ、メンテナンスの頻度を低減した給気浄化装置を提供することを目的とする。
【課題を解決するための手段】
【００１３】
そして、この目的を達成するために、本発明は、塵埃を含んだ空気の送風路内に設置され、気流を旋回させ塵埃を分離する塵埃旋回分離手段と、この塵埃旋回分離手段で分離した塵埃を集め溜めておく集塵室とを備え、前記塵埃旋回分離手段は、下面側に設けた流入口と、上面に設けた流出口と、流入口から流出口に向かって旋回流を形成する螺旋状の旋回壁と、塵埃を側面から前記集塵室へ排出する排出口とを備えた第一の筒体であり、前記集塵室は、天面に抜き穴を有し、外周部に前記塵埃旋回分離手段の前記排出口を配置し、前記塵埃旋回分離手段の旋回流の方向が全て同一方向となるよう複数個備えた第二の筒体であり、前記塵埃旋回分離手段と集塵室の上面を覆い被せるようにして接続した１つの曲がりダクトによって前記流出口と前記抜き穴から流出する空気は合流する構成であり、前記塵埃旋回分離手段の上面は流出口に向かって傾斜を設けたことを特徴としたものであり、これにより所期の目的を達成するものである。
【発明の効果】
【００１４】
本発明によれば、塵埃を含んだ空気の送風路内に設置され、気流を旋回させ塵埃を分離する塵埃旋回分離手段と、この塵埃旋回分離手段で分離した塵埃を集め溜めておく集塵室とを備え、前記塵埃旋回分離手段は、下面側に設けた流入口と、上面に設けた流出口と、流入口から流出口に向かって旋回流を形成する螺旋状の旋回壁と、塵埃を側面から前記集塵室へ排出する排出口とを備えた第一の筒体であり、前記集塵室は、天面に抜き穴を有し、外周部に前記塵埃旋回分離手段の前記排出口を配置し、前記塵埃旋回分離手段の旋回流の方向が全て同一方向となるよう複数個備えた第二の筒体であり、前記塵埃旋回分離手段と集塵室の上面を覆い被せるようにして接続した１つの曲がりダクトによって前記流出口と前記抜き穴から流出する空気は合流する構成であり、前記塵埃旋回分離手段の上面は流出口に向かって傾斜を設けたという構成としたことにより、例えば霧発生時など、水分が多量に含まれる空気を吸引した際に、流出口から流出した空気に含まれる水分が曲がりダクト内に付着し、壁面で凝集して液滴状の水粒子となり、落下して給気浄化装置に付着した場合、液滴状の水粒子が装置外周部に複数備えた塵埃旋回分離手段の上面から流出口に向かう傾斜に沿って移動する。液滴状の水粒子が流出口に到達すると、流出口から塵埃旋回分離手段に流れ込む。塵埃旋回分離手段の内部は、下面側に設けた流入口から流入した空気が流出口に向かって旋回流を形成するよう螺旋状に構成されているため、塵埃旋回分離手段に流れ込んだ液滴状の水粒子は、その壁面に沿って流入口に向かって落下する。最終的に、液滴状の水粒子は流入口から装置外部へ排出される。すなわち、液滴状の水粒子を給気浄化装置にとどめる事なく、装置外部へ排出するという作用により塵埃と水とを分離し、不衛生な状態となることを抑制しつつ、メンテナンスの頻度を低減するという効果を得ることができる。
【図面の簡単な説明】
【００１５】
【図１】本発明の実施の形態１の給気浄化装置の設置例の模式図
【図２】同給気浄化装置の斜視図
【図３】同給気浄化装置の側面図
【図４】同給気浄化装置のＡ−Ａ’断面を示す構成図
【図５】同給気浄化装置に備えた塵埃旋回分離手段の斜視図
【図６】同給気浄化装置に備えた集塵室の底面を真上から見た構成図
【図７】同給気浄化装置に備えた集塵室の底面を側面から見た構成図
【図８】従来の油分離装置の模式図
【発明を実施するための形態】
【００１６】
本発明の請求項１に記載の給気浄化装置は、塵埃を含んだ空気の送風路内に設置され、気流を旋回させ塵埃を分離する塵埃旋回分離手段と、この塵埃旋回分離手段で分離した塵埃を集め溜めておく集塵室とを備え、前記塵埃旋回分離手段は、下面側に設けた流入口と、上面に設けた流出口と、流入口から流出口に向かって旋回流を形成する螺旋状の旋回壁と、塵埃を側面から前記集塵室へ排出する排出口とを備えた第一の筒体であり、前記集塵室は、天面に抜き穴を有し、外周部に前記塵埃旋回分離手段の前記排出口を配置し、前記塵埃旋回分離手段の旋回流の方向が全て同一方向となるよう複数個備えた第二の筒体であり、
前記塵埃旋回分離手段と集塵室の上面を覆い被せるようにして接続した１つの曲がりダクトによって前記流出口と前記抜き穴から流出する空気は合流する構成であり、前記塵埃旋回分離手段の上面は流出口に向かって傾斜を設けたものである。
【００１７】
これにより、流出口から流出した空気に含まれる水分が曲がりダクト内に付着し、壁面で凝集して液滴状の水粒子となり、落下して給気浄化装置の上面に付着した場合、装置上面に付着した液滴状の水粒子は、装置外周部に複数備えた塵埃旋回分離手段の上面から流出口に向かう傾斜に沿って移動し、流出口から塵埃旋回分離手段内に流れ込む。塵埃旋回分離手段の内部は、下面側に設けた流入口から流入した空気が流出口に向かって旋回流を形成するよう螺旋状に形成されているため、塵埃旋回分離手段に流れ込んだ液滴状の水粒子は、その壁面に沿って流入口に向かって落下する。最終的に、液滴状の水粒子は流入口から装置外部へ排出される。
【００１８】
すなわち、液滴状の水粒子を塵埃旋回分離手段から外部へ排出することにより、塵埃と分離し、塵埃が集塵室内で固着することを少なくすることができ、メンテナンスの頻度を低減するという効果を得ることができる。
【００１９】
また、本発明の請求項２に記載の給気浄化装置は、集塵室の天面は、塵埃旋回分離手段の上面に対し高く形成し、前記集塵室の天面は抜き穴から外周に向かって低くなるように傾斜を設けたものである。
【００２０】
給気浄化装置に接続した曲がりダクトは、塵埃旋回分離手段と集塵室の上面を覆い被せるようにしているために、給気浄化装置を上から見ると、ダクトの曲げ部分は、給気浄化装置の内周側に位置する場合がある。
【００２１】
ここで、例えば霧発生時など、水分が多量に含まれる空気を吸引した際に、流出口から流出した空気に含まれる水分がダクト内に付着し、壁面で凝集して液滴状の水粒子となると、ダクトの曲げ部分から落下し、給気浄化装置の内周側、すなわち集塵室の天面に付着する場合がある。
【００２２】
上記構成により、集塵室の天面に付着した水粒子は、塵埃旋回分離手段の上面に対し、集塵室の天面を高くし、前記天面は抜き穴から外周に向かって低くなるように設けられた傾斜に沿って移動し、塵埃旋回分離手段の流出口から塵埃旋回分離手段に流れ込む。最終的に、流入口から装置外部へ排出される。
【００２３】
すなわち、集塵室の天面に付着した液滴状の水粒子を塵埃旋回分離手段側へ流して塵埃旋回手段から装置外部へ排出することにより、塵埃と分離し、塵埃が集塵室内で固着することを少なくすることができ、メンテナンスの頻度を低減するという効果を得ることができる。
【００２４】
また、本発明の請求項３に記載の給気浄化装置は、集塵室の底面に開口部を設け、前記開口部を閉塞するための蓋を備え、前記蓋は開閉可能に設置したものである。
【００２５】
これにより、集塵室に堆積した塵埃は、蓋を開けることによって開口部から装置外部へ排出することができ、簡単なメンテナンスにより給気浄化装置を清浄な状態に保つことができる。
【００２６】
また、本発明の請求項４に記載の給気浄化装置は、開口部に軸受け穴を設け、蓋に軸を設け、前記軸受け穴と前記軸とをはめ合わせた請求項３に記載の給気浄化装置である。
【００２７】
これにより、少ない部品点数で蓋を開閉可能に設置することができ、メンテナンス性の高い給気浄化装置を安価に提供することができる。
【００２８】
以下、本発明の実施の形態について図面を参照しながら説明する。
【００２９】
（実施の形態１）
図１は本発明の実施の形態１の給気浄化装置の設置例の模式図である。
【００３０】
給気浄化装置１は、例えば下流側に配置した送風ファン（図示せず）の作用によって屋外から屋内に取り入れる空気の浄化に用いられ、給気浄化装置１により塵埃が分離除去された清浄な空気は、下流に接続した曲がりダクト２を介して建物３に取り込まれ、清浄な空気を供給する。高さ方向の設置寸法を小さくするため、曲がりダクト２は、給気浄化装置１の装置上面１ａを覆い被せるようにして接続して、上部で曲げてから建物３に接続している。
【００３１】
給気浄化装置１の構成を説明する。
【００３２】
図２は本発明の実施の形態１の給気浄化装置の斜視図、図３は同給気浄化装置の側面図、図４は同給気浄化装置のＡ−Ａ’断面を示す構成図である。
【００３３】
給気浄化装置１は、塵埃を含んだ空気の送風路内に設置され、気流を旋回させ塵埃を分離する塵埃旋回分離手段４と、この塵埃旋回分離手段４で分離した塵埃を集め溜めておく集塵室５とを備える。塵埃旋回分離手段４は、下面側に設けた流入口６と、上面７に設けた流出口８と、流入口６から流出口８に向かって旋回流を形成する螺旋状の旋回壁９を有し、被処理空気を通過させて、側面に設けた排出口１０から塵埃を前記集塵室５へ排出する第一の筒体１１である。
【００３４】
塵埃旋回分離手段４の上面７は、流出口８に向かって傾斜を設けている。また、流出口８から下方に向かって、第一リブ１２を備えている。
【００３５】
集塵室５は、天面１３に抜き穴１４を有し、外周部に塵埃旋回分離手段４の排出口１０を配置し、塵埃旋回分離手段４の旋回流の方向が全て同一方向となるよう複数個備えた第二の筒体１５である。抜き穴１４から下方に向かって、第二リブ１６を備えている。集塵室５の底面１７には開口部１８と、開口部１８を閉塞するための蓋１９を備え、蓋１９は開閉可能に設置されている。
【００３６】
上面７と天面１３は給気浄化装置１の装置上面１ａに含まれている。
【００３７】
本実施の形態では、塵埃旋回分離手段４の上面７に対し、集塵室５の天面１３を高くし、天面１３は抜き穴１４から外周に向かって低くなるように傾斜２０を設けている。
【００３８】
本実施の形態では、塵埃旋回分離手段４を円形状に８個隣接して並べた構成としており、それらの内側を集塵室５としている。塵埃旋回分離手段４が集塵室５を取り囲むような構成であれば、円形状に限らず楕円状、四角形状などでもよい。
【００３９】
本実施の形態では、流出口８と抜き穴１４の吹出し方向が同じ方向であり、同じ空間に吹出し、合流して下流の曲がりダクト２へ流れる構成となっている。
【００４０】
図５は塵埃旋回分離手段４の斜視図である。塵埃旋回分離手段４は、第一の筒体１１の下面側に設けた流入口６と、第一の筒体１１の側面に集塵室５へ塵埃を排出する排出口１０を備える。流入口６は、第一の筒体１１の側面と第一の筒体１１の中心にある中心軸２１を対辺とし、螺旋状の旋回壁９の始端２２と終端２３を対辺とした４つの辺で囲まれた部分である。旋回壁９は、始端２２から終端２３まで３６０°の螺旋とすることで、第一の筒体１１内で旋回流を発生させることができる。排出口１０は、第一の筒体１１の最上部に配置しており、円周方向の位置はどこでもよい。
【００４１】
なお、本実施の形態では、第一の筒体１１の下面側軸方向から見て、始端２２と終端２３は重なっているが、螺旋が３６０°に満たない状態で、始端２２と終端２３の間に多少隙間があっても旋回流の発生に影響はない。この隙間により、塵埃旋回分離手段４を樹脂成型する際に、金型が抜きやすくなる。
【００４２】
図６は本発明の実施の形態１の給気浄化装置の集塵室５の底面１７を真上から見た構成図、図７は同給気浄化装置の集塵室５の底面１７を側面から見た構成図である。集塵室５の底面１７には、開口部１８と、開口部１８を閉塞するための蓋１９を備えている。開口部１８には軸受け穴２４を設け、蓋１９には軸２５を設け、軸受け穴２４と軸２５とをはめ合わせた構成となっており、軸２５を支点にして蓋１９を開閉することができる。
【００４３】
本実施の形態における作用、効果を説明する。
【００４４】
上記構成により、塵埃を含む空気が塵埃旋回分離手段４に設けられた流入口６から流入すると、塵埃旋回分離手段４内部の螺旋状の旋回壁９に沿って空気は旋回流を生じ、遠心力によって塵埃が分離される。分離された塵埃は、塵埃旋回分離手段４の外周方向へ移動し、排出口１０から集塵室５に排出される。塵埃が分離除去された清浄な空気は、塵埃旋回分離手段４の流出口８から流出するが、このとき旋回流の一部が排出口１０を通り集塵室５へ流入する。
【００４５】
旋回流によって分離された塵埃は、旋回流の影響により指向性を持って排出口１０から集塵室５に流入する。指向性は、各々の塵埃旋回分離手段４の排出口１０から集塵室５の中心を見た時に、排出口１０から集塵室５の中心へ向かって吹出すのではなく、旋回流の方向へそれて集塵室５へ吹出す。各々の塵埃旋回分離手段４の旋回流方向は同一なので、各々の排出口１０から集塵室５へ同一方向に吹出すことで、集塵室５内に旋回流が発生する。この旋回流により集塵室５内でも塵埃に遠心力が加わり、集塵室５の外周方向へ引き寄せられ、気流は集塵室５の天面１３に設けた抜き穴１４から下流へ流れていく。流出口８から流出する空気と抜き穴１４から流出する空気は合流し、給気浄化装置１の下流に流れていく。
【００４６】
本発明の給気浄化装置１では、主として空気に含まれた塵埃を分離除去するが、空気中の水分は、旋回流では除去されにくいため、流出口８を通じて曲がりダクト２へ流出し、装置下流に供給される。
【００４７】
ここで、例えば霧発生時など、水分が多量に含まれる空気を吸引した際に、流出口８から流出した空気に含まれる水分が曲がりダクト２内に付着し、壁面で凝集して液滴状の水粒子となり、落下して給気浄化装置１に付着する場合がある。
【００４８】
装置上面１ａに付着した液滴状の水粒子は、装置外周部に複数備えた塵埃旋回分離手段４の上面７から流出口８に向かう傾斜に沿って移動する。液滴状の水粒子が流出口８に到達すると、流出口８から塵埃旋回分離手段４に流れ込む。塵埃旋回分離手段４の内部は、下面側に設けた流入口６から流入した空気が流出口８に向かって旋回流を形成するよう螺旋状に形成されているため、塵埃旋回分離手段４に流れ込んだ液滴状の水粒子は、その壁面に沿って流入口６に向かって落下する。最終的に、液滴状の水粒子は流入口６から装置外部へ排出される。
【００４９】
すなわち、液滴状の水粒子は給気浄化装置１の外部へ排出されることにより、塵埃と分離し、塵埃が集塵室内で固着することを少なくすることができ、メンテナンスの頻度を低減するという効果を得ることができる。
【００５０】
また本実施の形態では、塵埃旋回分離手段４の上面７に対し、集塵室５の天面１３を高くし、天面１３は抜き穴１４から外周に向かって低くなるように傾斜を設けている。
【００５１】
図１に示したとおり、給気浄化装置１は、高さ方向の設置寸法を小さくするため、曲がりダクト２を、給気浄化装置１の装置上面１ａを覆い被せるようにして接続して、上部で曲げてから建物３に接続することもある。したがって、給気浄化装置１を上から見たときに、曲がりダクト２の曲げ部分は、給気浄化装置１の内周側に位置している。
【００５２】
ここで、例えば霧発生時など、水分が多量に含まれる空気を吸引した際に、流出口８から流出した空気に含まれる水分が曲がりダクト２内に付着し、壁面で凝集して液滴状の水粒子となると、曲がりダクト２の曲げ部分から直下に落下し、給気浄化装置１の内周側、すなわち集塵室５の天面１３に付着する場合がある。
【００５３】
このとき、天面１３に付着した水粒子は、天面１３に備えた抜き穴１４から外周に向かって低くなるように設けられた傾斜に沿って移動し、塵埃旋回分離手段４の流出口８から塵埃旋回分離手段４内に流れ込む。最終的に、流入口６から装置外部へ排出される。
【００５４】
これにより、集塵室５の天面１３に付着した液滴状の水粒子は外部へ排出されることにより、塵埃と分離し、塵埃が集塵室内で固着することを少なくすることができ、メンテナンスの頻度を低減するという効果を得ることができる。
【００５５】
また本実施の形態では、集塵室５の底面１７に開口部１８と、開口部１８を閉塞するための蓋１９を備えている。開口部１８には軸受け穴２４を設け、蓋１９には軸２５を設け、軸受け穴２４と軸２５とをはめ合わせた構成となっており、軸２５を支点にして蓋１９を開閉することができる。
【００５６】
これにより、集塵室５に堆積した塵埃を、蓋１９を開けることによって開口部１８から装置外部へ排出することができ、簡単なメンテナンスにより給気浄化装置１を清浄な状態に保つことができる。また、上記構成により少ない部品点数で蓋１９を開閉可能に設置することができ、メンテナンス性の高い給気浄化装置１を安価に提供することができる。
【００５７】
また本実施の形態では、集塵室５の外周部に、塵埃旋回分離手段４の流出口８を配置し、塵埃旋回分離手段４を複数設けた構成とした。
【００５８】
これにより、給気浄化装置１に接続する曲がりダクト２の内壁に付着した水粒子は、内壁のどこから落下しても塵埃旋回分離手段４に流れ込むことができ、水粒子を効率よく装置外部へ排出することができる。
【００５９】
また本実施の形態では、塵埃旋回分離手段４の旋回流の方向は全て同一方向となるように構成した。
【００６０】
給気浄化装置１内部において、流入した空気は図４に示した矢印のような旋回流を形成し、その一部は指向性を持って集塵室５に流入するため、集塵室５内では反時計回りに旋回流が発生する。この旋回流によって集塵室５内の塵埃は遠心力を受けて集塵室５の外周方向に集まるため、集塵室５内の気流の乱れ等による塵埃の再飛散を抑制することができ、塵埃の分離捕集効果を高めることができる。
【００６１】
また本実施の形態では、塵埃旋回分離手段４に設けた流出口８から下方に向かって、第一リブ１２を備えた。これにより、塵埃旋回分離手段４に流入した塵埃が流出口８から下流に飛散しにくくなり、塵埃の分離捕集効果を高めることができる。
【００６２】
また本実施の形態では、集塵室５の天面１３に抜き穴１４を設けて、排出口１０から流入した気流を下流側へ逃がし、流出口８から排出される気流と合流する構造とした。
【００６３】
給気浄化装置１内部において、流入した空気は図４に示した矢印のような旋回流を形成し、その一部は指向性を持って集塵室５に流入する。集塵室５に抜き穴１４がない場合は、流入してきた気流の行き場がないため、排出口１０から再び塵埃旋回分離手段４へ戻る流れが発生し、集塵室５に堆積した塵埃の一部がこの流れに沿って塵埃旋回分離手段４へ戻るという再飛散現象が起きる可能性があった。上記構成により、集塵室５内に流入した気流を抜き穴１４から逃がし、塵埃の再飛散を抑制することができる。
【００６４】
また本実施の形態では、抜き穴１４から下方に向かって、第二リブ１６を備えた。これにより、集塵室５に堆積した塵埃が抜き穴１４から下流に飛散しにくくなり、塵埃の分離捕集効果を高めることができる。また、例えば塵埃旋回分離手段４に流入した塵埃が排出口１０から直接抜き穴１４に向かった場合に、第二リブ１６に塵埃が衝突して落下させることができ、塵埃の分離捕集効果を高めることができる。
【００６５】
なお本実施の形態では、屋外から屋内に取り入れる空気の浄化の設置例を挙げたが、これに限られるものではなく、空気中の塵埃を分離、捕集して浄化するあらゆる用途に適用することができる。
【００６６】
なお本実施の形態では、塵埃旋回分離手段４の上面７に、流出口８に向かって設けた傾斜は直線状としたが、これに限られるものではなく、同様の効果が得られるものであればよい。例えば、曲線状や階段状などの形状でもよい。
【００６７】
なお本実施の形態では、集塵室５の天面１３に、抜き穴１４から外周に向かって低くなるように設けた傾斜は直線状としたが、これに限られるものではなく、同様の効果が得られるものであればよい。例えば、曲線状や階段状などの形状でもよい。
【００６８】
なお本実施の形態では、抜き穴１４の形状は円形としたが、これに限られるものではなく、例えば楕円形状などでもよい。また、小さな開口を複数並べる、メッシュ状とする等でもよく、こうすることで開口より大きな塵埃の飛散を防止することができる。
【００６９】
なお本実施の形態では、第二リブ１６の形状は円筒状であるが、これに限られるものではなく、例えば第二リブ１６の下側の開口を抜き穴１４より大きくしてもよい。これにより、塵埃が第二リブ１６に沿って下に向かう際に、集塵室５の外周側へ向かうこととなり、塵埃の分離効果が高くなる。逆に第二リブ１６の下側の開口を抜き穴１４より小さくしてもよい。この場合、塵埃が抜き穴１４から下流に飛散しにくくなるため、塵埃の分離効果が高くなる。
【産業上の利用可能性】
【００７０】
本発明にかかる給気浄化装置は、空気中の塵埃を分離、捕集して浄化するため、建物の換気や空調のために屋外から屋内に取り入れる空気の浄化や、ボイラー等の排気の浄化等に有用である。
【符号の説明】
【００７１】
１  給気浄化装置
１ａ  装置上面
２  曲がりダクト
３  建物
４  塵埃旋回分離手段
５  集塵室
６  流入口
７  上面
８  流出口
９  旋回壁
１０  排出口
１１  第一の筒体
１２  第一リブ
１３  天面
１４  抜き穴
１５  第二の筒体
１６  第二リブ
１７  底面
１８  開口部
１９  蓋
２０  傾斜
２１  中心軸
２２  始端
２３  終端
２４  軸受け穴
２５  軸
１０１  油分離装置
１０２  流入部
１０３  分離部
１０４  捕集室
１０５  流入口
１０６  排出口
１０７  流出口
１０８  ダクト
１０９  上面
【図１】
2016175050.tif 000003
【図２】
2016175050.tif 000004
【図３】
2016175050.tif 000005
【図４】
2016175050.tif 000006
【図５】
2016175050.tif 000007
【図６】
2016175050.tif 000008
【図７】
2016175050.tif 000009
【図８】
2016175050.tif 000010